(57)【特許請求の範囲】
【請求項１】
収納棚本体の左右の側板間に回動自在に支持される回転式載置台であって、
前記回転式載置台は、棚部と、該棚部が垂直状態にあるときには水平方向に軸部が突設した断面コ字状の係止部からなり、両側板の対向面に穿設された支持孔に枢動可能に支持され、使用時には前記係止部の軸部が前記収納棚本体と係止して前記棚部が該収納棚本体より突出して略水平状に保持され、不使用時には前記棚部が垂直状態で保持され、かつ前記係止部の軸部が側板の前面より前方に突出することで、ハンガーとして利用することができるように構成されていることを特徴とする回転式載置台。
【請求項２】
使用時に前記係止部の軸部は前記収納棚本体に設けた棚板と係止して前記棚部が略水平状に保持されている請求項１に記載の回転式載置台。
【請求項３】
前記棚板と前記棚部はほぼ同一面になるように水平状に保持されている請求項２に記載の回転式載置台。
【請求項４】
前記回転式載置台の少なくとも前記係止部がワイヤーフレームで構成されている請求項１ないし３の何れかに記載の回転式載置台。
【発明の詳細な説明】
【０００１】
【発明の属する技術分野】
本発明は、収納棚本体の左右の側板間に回動自在に支持される回転式載置台に関する。
【０００２】
【従来の技術】
従来より、多種、多様の収容物を載置するために左右の側壁の上下に複数の棚板を水平に配置された収納棚が使用されている。
【０００３】
例えば、図３は従来の収容棚の斜視図を示しており、この収容棚１０１は、左右の側板１０４ａ、１０４ｂおよび天板１０５、底板１０６ないし背板１０７により前面が開放された薄い箱形で構成され、左右の側壁１０４ａ、１０４ｂの上下には複数の棚板１０２が水平に配置されている。
【０００４】
このように構成された収容棚１０１は、例えば、浴室の脱衣場の壁面側に配置されて各種衣類やタオル、洗剤等を収容するために使用されるが、例えば、脱衣時に抜いた衣類を一時的に載置するために、特定位置に通常の棚板１０２より幅広い載置台１０８を配置したものが使用されている。
【０００５】
【発明が解決しようとしている課題】
ところが、このような従来の収容棚１０１は、使い易い高さ位置に幅広の載置台１０８が両側板から大きく外方に突出して配置されているため、美観が損なわれるだけでなく、脱衣場内での移動時に邪魔になり人体にぶつかり思わぬ怪我をする等の問題を有していた。そのため、使用時には通常の棚板と共に広い載置台として使用することができ、不使用時には回転させて折り畳むことで邪魔にならないようにしたものもあった。しかしながら従来のこの種の回転折り畳み式の棚は折り畳み時に人体にぶつからないようにしただけであって棚としての役目は何も果たしていなかった。
【０００６】
本発明は、このような事情に着目してなされたもので、使用時には前方に突出して使い勝手が良い載置棚として用いることができ、不使用時には周囲の邪魔になることなく折り畳むが、ハンガーとして利用できる回転式載置台を提供することを目的とする。
【０００７】
【課題を解決するための手段】
上記目的を達成するために、本発明の回転式載置台は、収納棚本体の左右の側板間に回動自在に支持される回転式載置台であって、前記回転式載置台は、棚部と、該棚部が垂直状態にあるときには水平方向に軸部が突設した断面コ字状の係止部からなり、両側板の対向面に穿設された支持孔に枢動可能に支持され、使用時には前記係止部の軸部が前記収納棚本体と係止して前記棚部が該収納棚本体より突出して略水平状に保持され、不使用時には前記棚部が垂直状態で保持され、かつ前記係止部の軸部が側板の前面より前方に突出することで、ハンガーとして利用することができるように構成されていることを特徴としている。
この特徴によれば、回転式載置台が両側板の対向面に穿設された支持孔に枢動可能に支持されているので枢動構造が簡素であり、載置台が使用時には収納棚本体より突出して略水平状に保持されるので、載置台として使い勝手が良く、不使用時に、軸部をハンガーとして利用する場合に、水平でかつ側板の前面より前方に突出しているので、物を吊り下げやすく且つ通気性に優れているばかりでなく、棚部は側板の前面より突出することなく収納棚本体の内部にあるので、周囲の邪魔になることもない。
【０００８】
上記回転式載置台において、使用時に前記係止部の軸部は前記収納棚本体に設けた棚板と係止して前記棚部が略水平状に保持されていることが好ましい。
このようにすれば、棚部の水平保持が確実になると共に、棚板と棚部の２カ所を載置台として利用できる。
【０００９】
上記回転式載置台において、前記棚板と前記棚部はほぼ同一面になるように水平状に保持されていることが好ましい。
このようにすれば、棚板と棚部とで同一面の広い載置台が形成できる。
【００１０】
上記回転式載置台において、前記回転式載置台の少なくとも前記係止部がワイヤーフレームで構成されていることが好ましい。
このようにすれば、ワイヤーフレームを用いることにより軽量で、且つストッパーとハンガーの機能を持つ係止部の形成が容易である。
【００１１】
【発明の実施の形態】
以下、本発明の実施形態を図１および図２の（ａ）、（ｂ）に基づいて説明する。
【００１２】
先ず図１は、本発明の回転式載置台が取り付けられた収納棚本体の斜視図であり、図２の（ａ）は不使用時に垂直状態に保持されている回転式載置台の斜視図、（ｂ）は使用時に水平状態に保持されている回転式載置台の斜視図である。
【００１３】
符号１は収納棚本体を示し、この収納棚本体１は、例えば浴室に隣接して配置される脱衣場の出入口２側の壁面等に取り付け、各種衣類やタオル、洗剤等を収容するために使用されており、側壁である左右の側板４ａ、４ｂおよび天板５、底板６ないし背板７により前面が開放された縦長の薄い箱形で構成され、左右の側壁である側板４ａ、４ｂ間の上下には複数の棚板８が水平に配置されている。
【００１４】
収納棚本体１内の上下に配置される棚板８内における特定の棚板１０（他の棚板と略同一構成）先端近傍の上部における両側板４ａ、４ｂの対向面には、枢着部としての図示しない一対の支持穴が穿設されており、これら支持穴には後述する回転式載置台１２がその一端両側より突設した枢軸１２ａ、１２ｂが支持穴に装着されて枢動可能に支持されている。
【００１５】
回転式載置台１２は、複数のワイヤーフレームを組み合わせて矩形網状に形成した棚部１４と、棚部１４の水平状態に保持するための係止部１５とで構成されている。この係止部１５は、棚部１４が垂直状態に立設したときには、タオル等が引っかけられるように水平方向に軸部１５ａが突設した断面コ字状を呈し、棚部１４と一体にワイヤーフレームで形成されている。
【００１６】
次に、上記のように構成された回転式載置台の機能につき図２を参照して説明する。
【００１７】
先ず、回転式載置台１２は、不使用時には図２（ａ）に示すように、収納棚本体１の対向する側板４ａ、４ｂ間に枢着部である一対の支持穴に枢動可能に装着された枢軸１２ａ、１２ｂに支持されて棚部１４が垂直状態になるように保持されている。
【００１８】
垂直状態を保持する手段としては公知の各種手段が採用でき、例えば、本実施形態においては、棚部１４を特定の棚板１０直上に配置される棚板８の先端に当接させて、棚板８先端に埋め込まれたマグネット（不図示）等に磁着させるようにして保持させている。
【００１９】
この場合は、係止部１５の軸部１５ａが側板４ａ、４ｂの前面より前方に突出するため、これをタオルなどを吊り下げるハンガーとして利用することができる。
【００２０】
また、この回転式載置台１２を使用するときは、垂直状態から枢軸１２ａ、１２ｂを中心として下方に枢動させると、図２（ｂ）に示すように、係止部１５の軸部１５ａが棚板１０の前面部１０ａ（図２ａ参照）に当接することで、棚部１４が収納棚本体１より突出して略水平状態に保持される。棚部１４が突出しているので一時的な載置台として好適であり、しかも奥にある棚板１０と併せて使用できるので、２つの載置台を得ることになる。この際、棚板１０と棚部１４をほぼ同一面となるように構成すれば、広い載置台が形成されることになる。
【００２１】
従って、上記のように構成された本発明の回転式載置台によれば、回転式載置台１２の棚部１４が水平状態と垂直状態の２つの姿勢をとることができ、使用時の水平状態においては、収納棚本体より突出しているので載置台として使い勝手が良く、不使用時には周囲の邪魔になることがなく立設して人体にぶつかることもなく、安全に使用することができ、しかもタオルなどを吊り下げるハンガーとして利用できる。
【００２２】
本実施例では、回転式載置台１２を、軽量化し、かつ垂直に枢動保持した際に内側が透視可能にするためにワイヤーフレームを用いて形成したが、これに限らず例えば樹脂で一体成型したものでも良い。また、棚部１４の水平保持のために、棚板１０の前面部１０ａを利用したが、棚板を設けることなく、例えば、側板４ａ、４ｂに係止金具を設けるようにしても良い。
【００２３】
【発明の効果】
本発明によれば、次のような効果が得られる。
【００２４】
（ａ）請求項１に記載の発明によれば、回転式載置台が両側板の対向面に穿設された支持孔に枢動可能に支持されているので枢動構造が簡素であり、載置台が使用時には収納棚本体より突出して略水平状に保持されるので、載置台として使い勝手が良く、不使用時に、軸部をハンガーとして利用する場合に、水平でかつ側板の前面より前方に突出しているので、物を吊り下げやすく且つ通気性に優れているばかりでなく、棚部は側板の前面より突出することなく収納棚本体の内部にあるので、周囲の邪魔になることもない。
【００２５】
（ｂ）請求項２に記載の発明によれば、棚部の水平保持が確実になると共に、棚板と棚部の２カ所を載置台として利用できる。
【００２６】
（ｃ）請求項３に記載の発明によれば、棚板と棚部とで同一面の広い載置台が形成できる。
【００２７】
（ｄ）請求項４に記載の発明によれば、ワイヤーフレームを用いることにより軽量で、且つストッパーとハンガーの機能を持つ係止部の形成が容易である。
【図面の簡単な説明】
【図１】本発明の一実施形態に係る回転式載置台が取り付けられた収納棚本体の斜視図である。
【図２】（ａ）は不使用時に垂直状態に保持されている回転式載置台の斜視図、（ｂ）は使用時に水平状態に保持されている回転式載置台の斜視図である。
【図３】従来の収容棚の斜視図である。
【符号の説明】
１                    収納棚
２                    出入口
４ａ、４ｂ            側板（側壁）
５                    天板
６                    底板
７                    背板
８                    棚板
１０                  棚板
１０ａ                前面部
１２                  回転式載置台
１２ａ、１２ｂ        枢軸
１４                  棚部
１５                  係止部
１５ａ                軸部
【図１】
0004029926.tif 000002
【図２】
0004029926.tif 000003
【図３】
0004029926.tif 000004